(57)【要約】【課題】位相ジャンプのないソフトスイッチングのためのマルチプレクサ及びマルチプレクシング方法を提供する。【解決手段】第１入力信号を反転させて出力する第１インバータと、第２入力信号を反転させて出力する第２インバータと、第１制御信号に応答して第１インバータの出力信号を共通出力端に伝送する第１伝送ゲートと、第２制御信号に応答して第２インバータの出力信号を共通出力端に伝送する第２伝送ゲートと、共通出力端の信号を反転させて出力する第３インバータと、を備え、第１制御信号と第２制御信号とは、互いにオーバーラップしないノンオーバーラッピング信号であることを特徴とするマルチプレクサ。【選択図】図４
2006211673.tif 000002
【特許請求の範囲】
【請求項１】
第１制御信号に応答して、第１入力端を通じて入力される第１入力信号を共通出力端に伝送する第１伝送ゲートと、
前記第１制御信号と独立な第２制御信号に応答して、第２入力端を通じて入力される第２入力信号を前記共通出力端に伝送する第２伝送ゲートと、を備え、
前記第１制御信号と前記第２制御信号とは、互いにオーバーラップしないノンオーバーラッピング信号であることを特徴とするマルチプレクサ。
【請求項２】
前記第１及び第２制御信号は、前記第１及び第２伝送ゲートのうち現在ターンオフされている何れか一つを先にターンオンさせ、現在ターンオンされている他の一つを所定の時間後にターンオフさせ、前記所定の時間区間の間に前記第１及び第２伝送ゲートが何れもターンオンされることを特徴とする請求項１に記載のマルチプレクサ。
【請求項３】
前記所定の時間は、前記第１入力信号と前記第２入力信号との位相差に立ち下がり時間または立ち上がり時間を加算した時間より長く、前記入力信号の半周期より短いことを特徴とする請求項２に記載のマルチプレクサ。
【請求項４】
出力端が前記第１入力端に連結され、前記第１入力信号を反転させて前記第１入力端に出力する第１インバータと、
出力端が前記第２入力端に連結され、前記第２入力信号を反転させて前記第２入力端に出力する第２インバータと、
入力端が前記共通出力端に連結され、前記共通出力端の信号を反転させて出力する第３インバータと、をさらに備えることを特徴とする請求項１に記載のマルチプレクサ。
【請求項５】
第１入力信号を反転させて出力する第１インバータと、
第２入力信号を反転させて出力する第２インバータと、
第１制御信号に応答して、前記第１インバータの出力信号を共通出力端に伝送する第１伝送ゲートと、
第２制御信号に応答して、前記第２インバータの出力信号を前記共通出力端に伝送する第２伝送ゲートと、
前記共通出力端の信号を反転させて出力する第３インバータと、を備え、
前記第１制御信号と前記第２制御信号とは、互いにオーバーラップしないノンオーバーラッピング信号であることを特徴とするマルチプレクサ。
【請求項６】
前記第１及び第２制御信号は、前記第１及び第２伝送ゲートのうち現在ターンオフされている何れか一つを先にターンオンさせ、現在ターンオンされている他の一つを所定の時間後にターンオフさせ、前記所定の時間区間の間に前記第１及び第２伝送ゲートが何れもターンオンされることを特徴とする請求項５に記載のマルチプレクサ。
【請求項７】
前記所定の時間は、前記第１入力信号と前記第２入力信号との位相差に立ち下がり時間または立ち上がり時間を加算した時間より長く、前記入力信号の半周期より短いことを特徴とする請求項６に記載のマルチプレクサ。
【請求項８】
第１入力信号を反転させて出力する第１インバータ、第２入力信号を反転させて出力する第２インバータ、ターンオンされる時に前記第１インバータの出力信号を共通出力端に伝送する第１伝送ゲート、ターンオンされる時に前記第２インバータの出力信号を前記共通出力端に伝送する第２伝送ゲート、及び前記共通出力端の信号を反転させて出力する第３インバータを備えるマルチプレクサの制御方法において、
前記第１及び第２伝送ゲートのうち何れか一つをターンオンさせ、他の一つをターンオフさせるステップと、
前記第１及び第２伝送ゲートのうちターンオフされている何れか一つを先にターンオンさせるステップと、
前記第１及び第２伝送ゲートのうちターンオンされている他の一つを所定の時間後にターンオフさせるステップと、を含み、
前記所定の時間区間の間に前記第１及び第２伝送ゲートが何れもターンオンされることを特徴とする制御方法。
【請求項９】
前記所定の時間は、前記第１入力信号と前記第２入力信号との位相差に立ち下がり時間または立ち上がり時間を加算した時間より長く、前記入力信号の半周期より短いことを特徴とする請求項８に記載の制御方法。
【請求項１０】
第１入力信号を反転させて出力するステップと、
第２入力信号を反転させて出力するステップと、
前記反転された第１入力信号及び前記反転された第２入力信号のうち何れか一つを共通出力端に伝送するステップと、
所定の時間区間の間に前記反転された第１入力信号及び前記反転された第２入力信号を何れも前記共通出力端に伝送するステップと、
前記共通出力端の信号を反転させて出力するステップと、を含むことを特徴とするマルチプレクシング方法。
【請求項１１】
前記所定の時間は、前記第１入力信号と前記第２入力信号との位相差に立ち下がり時間または立ち上がり時間を加算した時間より長く、前記入力信号の半周期より短いことを特徴とする請求項１０に記載のマルチプレクシング方法。
【請求項１２】
請求項８または１０に記載の方法を行うマルチプレクサ。
【発明の詳細な説明】
【技術分野】
【０００１】
本発明は、マルチプレクサ回路に係り、特に、位相ジャンプのないソフトスイッチングのためのマルチプレクサ及びマルチプレクシング方法に関する。
【背景技術】
【０００２】
スプレッドスペクトルクロック発生器（Ｓｐｒｅａｄ Ｓｐｅｃｔｒｕｍ Ｃｌｏｃｋ Ｇｅｎｅｒａｔｏｒ：ＳＳＣＧ）や遅延同期ループ（Ｄｅｌａｙ Ｌｏｃｋ Ｌｏｏｐ：ＤＬＬ）で互いに均等かつ精密な位相差を有する数個のクロック信号を発生させるために、位相インターポレータや位相混合器が利用される。位相混合器は、デジタルインバータを利用するので、位相インターポレータに比べて構成が簡単であり、信号のスイングが大きい場合にも使用できるという長所がある。
【０００３】
位相混合器を利用する場合には、互いに均等かつ精密な位相差を有する数個のクロック信号を何れも生成した後、所望の位相を有するクロック信号をマルチプレクサを使用して選択する。したがって、位相混合器を利用する場合には、所望の位相を有するクロック信号をマルチプレクサを通じて大きいジッタなしに柔らかく出力端にスイッチングすることが重要である。
【０００４】
さらに説明すれば、例えば、２：１マルチプレクサに入る二つの入力クロック信号は、それぞれ異なる位相を有するので、この入力クロック信号とマルチプレクサを制御する制御信号との間の位相は、何れも異なり、これにより、制御信号の活性化レベルを全ての入力クロック信号の中間地点に整列できなくなる。したがって、入力クロック信号の周期に比べて、入力クロック信号の立ち上がり時間及び立ち下がり時間の比率が高まるほど、入力クロック信号のうち何れか一つと制御信号とが同時にスイッチング（すなわち、遷移）される確率が高まる。二つの入力クロック信号のうち何れか一つと制御信号とが同時にスイッチング（すなわち、遷移）される場合には、所望しない位相ジャンプを発生させて出力クロック信号の位相変化が二つの入力クロック信号間の位相差よりさらに大きくなってしまう。これは、出力クロック信号の付加的なジッタを引き起こす。
【０００５】
図１は、位相混合器に使われる従来のマルチプレクサの回路図であり、図２は、図１の従来のマルチプレクサに使われる制御信号のタイミング図である。従来のマルチプレクサでは、第２制御信号ＣＯＮ＿Ｂは、第１制御信号ＣＯＮ＿Ａの反転信号である。したがって、第１入力クロック信号φＡと第２入力クロック信号φＢとは、同時に共通出力端ＮＣに出力されず、二つのうち一つのみが選択される。
【０００６】
一方、通常的にマルチプレクサに入力される第１入力クロック信号φＡと第２入力クロック信号φＢとは、図３に示したように、若干の位相差ＴＰＤを有する信号である。領域３１以外の領域では、第１入力クロック信号φＡと第２入力クロック信号φＢとが同じ電圧レベルを有するが、領域３１では、すなわち、φＡとφＢとの位相差ＴＰＤに立ち下がり時間または立ち上がり時間を加算した時間の間には、第１入力クロック信号φＡと第２入力クロック信号φＢとが異なる電圧レベルを有する。
【０００７】
第１入力クロック信号φＡと第２入力クロック信号φＢとが同じ電圧レベルを有する時には、第１制御信号ＣＯＮ＿Ａ及び第２制御信号ＣＯＮ＿Ｂのレベルが変わっても、出力クロック信号ＯＵＴは何らの変化がない。
【０００８】
しかし、領域３１のように、φＡ及びφＢが変わる間にＣＯＮ＿Ａ及びＣＯＮ＿Ｂのレベルが変われば、伝送ゲート１４，１５がスイッチングする間に伝送ゲートの抵抗値及びキャパシタンス値が変化する。これにより、出力クロック信号ＯＵＴは、入力クロック信号φＡ，φＢの変化を線形的にとれずに、歪曲を伴い、これにより出力クロック信号ＯＵＴの位相は、第１入力クロック信号φＡの位相から第２入力クロック信号φＢの位相に柔らかく変化、すなわち、スイッチされない。
【０００９】
言い換えれば、出力クロック信号ＯＵＴで所望しない位相ジャンプが発生して出力クロック信号ＯＵＴの位相変化が二つの入力クロック信号φＡ，φＢ間の位相差ＴＰＤより大きくなりうる。これは、出力クロック信号ＯＵＴの付加的なジッタを引き起こす。
【発明の開示】
【発明が解決しようとする課題】
【００１０】
本発明が解決しようとする技術的課題は、入力クロック信号が変わる間に制御信号のレベルが変わっても、出力クロック信号で所望しない位相ジャンプを発生させないマルチプレクサを提供することである。
【００１１】
本発明が解決しようとする他の技術的課題は、前記マルチプレクサを制御する方法を提供することである。
【００１２】
本発明が解決しようとするさらに他の技術的課題は、入力クロック信号が変わる間に制御信号のレベルが変わっても出力クロック信号で所望しない位相ジャンプを発生させないマルチプレクシング方法を提供することである。
【課題を解決するための手段】
【００１３】
前記課題を達成するための本発明によるマルチプレクサは、第１入力信号を反転させて出力する第１インバータと、第２入力信号を反転させて出力する第２インバータと、第１制御信号に応答して前記第１インバータの出力信号を共通出力端に伝送する第１伝送ゲートと、第２制御信号に応答して前記第２インバータの出力信号を前記共通出力端に伝送する第２伝送ゲートと、前記共通出力端の信号を反転させて出力する第３インバータと、を備え、前記第１制御信号と前記第２制御信号とは、互いにオーバーラップしないノンオーバーラッピング信号であることを特徴とする。
【００１４】
望ましい実施形態によれば、前記第１及び第２制御信号は、前記第１及び第２伝送ゲートのうち現在ターンオフされている何れか一つを先にターンオンさせ、現在ターンオンされている他の一つを所定の時間後にターンオフさせ、前記所定の時間区間の間に前記第１及び第２伝送ゲートが何れもターンオンされる。
【００１５】
望ましい実施形態によれば、前記所定の時間は、前記第１入力信号と前記第２入力信号との間の位相差に立ち下がり時間または立ち上がり時間を加算した時間より長く、前記入力信号の半周期より短い。
【００１６】
前記他の課題を達成するための本発明によるマルチプレクサの制御方法は、第１入力信号を反転させて出力する第１インバータと、第２入力信号を反転させて出力する第２インバータと、ターンオンされる時に前記第１インバータの出力信号を共通出力端に伝送する第１伝送ゲートと、ターンオンされる時に前記第２インバータの出力信号を前記共通出力端に伝送する第２伝送ゲートと、前記共通出力端の信号を反転させて出力する第３インバータと、を備えるマルチプレクサの制御方法において、前記第１及び第２伝送ゲートのうち何れか一つをターンオンさせ、他の一つをターンオフさせるステップと、前記第１及び第２伝送ゲートのうちターンオフされている何れか一つを先にターンオンさせるステップと、前記第１及び第２伝送ゲートのうちターンオンされている他の一つを所定の時間後にターンオフさせるステップと、を備え、前記所定の時間区間の間に前記第１及び第２伝送ゲートが何れもターンオンされることを特徴とする。
【００１７】
望ましい実施形態によれば、前記所定の時間は、前記第１入力信号と前記第２入力信号との間の位相差に立ち下がり時間または立ち上がり時間を加算した時間より長く、前記入力信号の半周期より短い。
【００１８】
さらに他の課題を達成するための本発明による前記マルチプレクシング方法は、第１入力信号を反転させて出力するステップと、第２入力信号を反転させて出力するステップと、前記反転された第１入力信号及び前記反転された第２入力信号のうち何れか一つを共通出力端に伝送するステップと、所定の時間区間の間に前記反転された第１入力信号及び前記反転された第２入力信号を何れも前記共通出力端に伝送するステップと、前記共通出力端の信号を反転させて出力するステップと、を備えることを特徴とする。
【００１９】
望ましい実施形態によれば、前記所定の時間は、前記第１入力信号と前記第２入力信号との間の位相差に立ち下がり時間または立ち上がり時間を加算した時間より長く、前記入力信号の半周期より短い。
【発明の効果】
【００２０】
本発明によるマルチプレクサ及びマルチプレクシング方法は、入力信号が変わる間にマルチプレクサ制御信号のレベルが変わっても出力信号で所望しない位相ジャンプを発生させない。また、本発明によるマルチプレクサは、同じ位相差を有し、異なる位相を有する複数個の信号を発生させる回路に利用され、この場合、ハードウェアがシンプルになり、出力信号で所望しない位相ジャンプなしに柔らかくスイッチングできる。
【発明を実施するための最良の形態】
【００２１】
本発明と本発明の動作上の利点及び本発明の実施によって達成される目的を十分に理解するためには、本発明の望ましい実施形態を例示する添付図面及び図面に記載された内容を参照せねばならない。
【００２２】
以下、添付した図面を参照して本発明の望ましい実施形態を説明することによって、本発明を詳細に説明する。各図面に提示された同じ参照符号は、同じ部材を表す。
【００２３】
図４は、本発明の一実施形態によるマルチプレクサの回路図であり、図５は、図４のマルチプレクサに使われる制御信号のタイミング図である。図４に示されたマルチプレクサは、本発明による制御方法及びマルチプレクシング方法によって動作する。
【００２４】
図４を参照すれば、本発明の一実施形態によるマルチプレクサは、第１インバータ４１、第２インバータ４２、第３インバータ４３、第４インバータ４４、第５インバータ４５、第１伝送ゲート４６、及び第２伝送ゲート４７を備える。
【００２５】
第１インバータ４１は、第１入力信号φＡを反転させて出力し、第２インバータ４２は、第２入力信号φＢを反転させて出力する。第４インバータ４４は、第１制御信号ＣＯＮ＿Ａを反転させて出力し、第５インバータ４５は、第２制御信号ＣＯＮ＿Ｂを反転させて出力する。
【００２６】
第１伝送ゲート４６は、第１制御信号ＣＯＮ＿Ａに応答して第１インバータ４１の出力信号を共通出力端ＮＣに伝送する。第２伝送ゲート４７は、第２制御信号ＣＯＮ＿Ｂに応答して第２インバータ４２の出力信号を共通出力端ＮＣに伝送する。さらに詳細には、第１伝送ゲート４６は、第１制御信号ＣＯＮ＿Ａが論理“ロー”であるとき、第１インバータ４１の出力信号を共通出力端ＮＣに伝送する。第２伝送ゲート４７は、第２制御信号ＣＯＮ＿Ｂが論理“ロー”であるとき、第２インバータ４２の出力信号を共通出力端ＮＣに伝送する。
【００２７】
第３インバータ４３は、共通出力端ＮＣの信号を反転させて出力信号ＯＵＴとして出力する。
【００２８】
特に、第１制御信号ＣＯＮ＿Ａと第２制御信号ＣＯＮ＿Ｂは、図５のタイミング図に示されたように、互いにオーバーラップしないノンオーバーラッピング信号である。第１制御信号ＣＯＮ＿Ａと第２制御信号ＣＯＮ＿Ｂとは、第１伝送ゲート４６及び第２伝送ゲート４７のうち、現在ターンオフされている何れか一つを先にターンオンさせ、現在ターンオンされている他の一つを所定の時間Ｔ１またはＴ２後にターンオフさせる。これにより、前記所定の時間区間Ｔ１またはＴ２の間に第１伝送ゲート４６及び第２伝送ゲート４７が何れもターンオンされる。
【００２９】
さらに説明すれば、Ｔ１以前には、第１制御信号ＣＯＮ＿Ａが論理“ハイ”であり、第２制御信号ＣＯＮ＿Ｂが論理“ロー”であるので、第１伝送ゲート４６はターンオフされ、第２伝送ゲート４７はターンオンされる。したがって、第２入力信号φＢが第２インバータ４２、第２伝送ゲート４７、共通出力端ＮＣ、及び第３インバータ４３を通じて出力信号ＯＵＴとして出力される。
【００３０】
Ｔ１とＴ２との間では、第１制御信号ＣＯＮ＿Ａが論理“ロー”であり、第２制御信号ＣＯＮ＿Ｂが論理“ハイ”であるので、第１伝送ゲート４６はターンオンされ、第２伝送ゲート４７はターンオフされる。したがって、第１入力信号φＡが第１インバータ４１、第１伝送ゲート４６、共通出力端ＮＣ、及び第３インバータ４３を通じて出力信号ＯＵＴとして出力される。
【００３１】
Ｔ１またはＴ２の間には、第１制御信号ＣＯＮ＿Ａが論理“ロー”であり、第２制御信号ＣＯＮ＿Ｂも論理“ロー”であるので、第１伝送ゲート４６及び第２伝送ゲート４７が何れもターンオンされる。このような場合には、図４の回路は、マルチプレクサではなく、位相混合器として動作する。すなわち、図６に示したように、領域６１及び領域６５では、図４の回路は、第１入力信号φＡ及び第２入力信号φＢに対してマルチプレクシング動作を行い、領域６３では、図４の回路が第１入力信号φＡ及び第２入力信号φＢに対してブレンディング動作を行う。
【００３２】
図６は、図４のマルチプレクサで入力信号φＡ，φＢと制御信号ＣＯＮ＿Ａ，ＣＯＮ＿Ｂとが同時に変わる場合を示す図面である。もし、領域６３で第１入力信号φＡ及び第２入力信号φＢの電圧レベルが互いに同一であれば、これらをブレンディングしても、第１及び第２入力信号φＡ，φＢの電圧レベルと同じ電圧レベルを有する出力信号ＯＵＴが出力される。しかし、もし図６に示したように、第１入力信号φＡ及び第２入力信号φＢの電圧レベルが異なれば、第１入力信号φＡの電圧レベルと第２入力信号φＢの電圧レベルとの間の平均電圧レベルを有する出力信号ＯＵＴが出力される。
【００３３】
このように、領域６３で位相ブレンディングが行われれば、第１入力信号φＡの位相と第２入力信号φＢの位相との間の中間位相が出力されるので、その結果、出力信号ＯＵＴの位相は、第１入力信号φＡの位相から前記中間位相を経て第２入力信号φＢの位相に柔らかく変化、すなわち、スイッチされる。言い換えれば、出力信号ＯＵＴで所望しない位相ジャンプが発生しなくなり、したがって、出力信号ＯＵＴの付加的なジッタが発生しない。
【００３４】
一方、第１伝送ゲート４６及び第２伝送ゲート４７が何れもターンオンされる時間区間Ｔ１またはＴ２は、第１入力信号φＡと第２入力信号φＢとの位相差ＴＰＤに立ち下がり時間または立ち上がり時間を加算した時間より長く、入力信号φＡ，φＢの半周期より短くなければならない。
【００３５】
図７は、図１に示した従来のマルチプレクサに対する模擬実験結果であり、図８は、図４に示した本発明によるマルチプレクサに対する模擬実験結果である。
【００３６】
図７に示したように、従来のマルチプレクサでは、入力信号φＡ，φＢと制御信号ＣＯＮ＿Ａとが同時に変わる場合、出力信号ＯＵＴで所望しない位相ジャンプが発生するが、図８に示したように、本発明によるマルチプレクサでは、入力信号φＡ，φＢと制御信号ＣＯＮ＿Ａとが同時に変わっても、位相ブレンディングによって位相ジャンプが発生しないことが分かる。
【００３７】
図９Ａは、図１に示した従来のマルチプレクサ及び図４に示した本発明によるマルチプレクサで、入力信号φＡ，φＢの変化が制御信号ＣＯＮ＿Ａ，ＣＯＮ＿Ｂの変化と重畳されていないとき、出力信号ＯＵＴでの最小ジッタを示す図面である。図９Ｂは、図１に示した従来のマルチプレクサで入力信号φＡ，φＢの変化が制御信号ＣＯＮ＿Ａ，ＣＯＮ＿Ｂの変化と重畳されるとき、出力信号ＯＵＴでの最小ジッタを示す図面である。図９Ｃは、図４に示した本発明によるマルチプレクサで入力信号φＡ，φＢの変化が制御信号ＣＯＮ＿Ａ，ＣＯＮ＿Ｂの変化と重畳されるとき、出力信号ＯＵＴでの最小ジッタを示す図面である。図９Ａないし図９Ｃで、φＡは、前記第１入力信号の位相を意味し、φＢは、前記第２入力信号の位相を意味する。
【００３８】
図９Ａに示したように、従来のマルチプレクサ及び本発明によるマルチプレクサで、入力信号φＡ，φＢの変化が制御信号ＣＯＮ＿Ａ，ＣＯＮ＿Ｂの変化と重畳されないときには、出力信号ＯＵＴでの最小ジッタは、φＡ−φＢほどである。図９Ｂに示したように、従来のマルチプレクサで、入力信号φＡ，φＢの変化が制御信号ＣＯＮ＿Ａ，ＣＯＮ＿Ｂの変化と重畳される時には、出力信号ＯＵＴで位相ジャンプ、すなわち、付加的なジッタが発生して最小ジッタがφＡ−φＢ以上に増加する。図９Ｃに示したように、本発明によるマルチプレクサで、入力信号φＡ，φＢの変化が制御信号ＣＯＮ＿Ａ，ＣＯＮ＿Ｂの変化と重畳される時には、位相ブレンディングによって位相ジャンプが発生せず、最小ジッタは、φＡ−φＢとなる。
【００３９】
図１０は、位相混合器を利用して同じ位相差を有し、異なる位相を有する１６個の信号φＡ１００−φＡ１２，φＢ１００−φＢ１２を発生させる従来の回路を示すブロック図である。図１１は、図１０及び図１２に示した位相混合器ユニットを示す回路図である。
【００４０】
図１０の従来の回路は、１４個の位相混合器ユニット１０１−１１４及び１６：１マルチプレクサ１１５を含んで構成される。図１１を参照すれば、例えば、位相混合器ユニット１０１は、入力信号φＡと同じ位相を有する出力信号φＡを生成する部分Ｉ１１−Ｉ１３、及び入力信号φＡの位相と入力信号φＢの位相との中間位相を有する出力信号φＡＢを生成する部分Ｉ１４−Ｉ１６で構成される。同様に、位相混合器ユニット１０２は、入力信号φＢと同じ位相を有する出力信号φＢを生成する部分Ｉ２１−Ｉ２３、及び入力信号φＢの位相と入力信号φＡの位相との中間位相を有する出力信号φＢＡを生成する部分Ｉ２４−Ｉ２６で構成される。
【００４１】
図１２は、図１０に示した回路と同じ機能を有する回路であって、位相混合器と図４の本発明によるマルチプレクサとを利用して同じ位相差を有し、かつ異なる位相を有する１６個の信号を発生させる本発明による回路を示すブロック図である。
【００４２】
図１２の本発明による回路は、６個の位相混合器ユニット１２１−１２６、４個の２：１マルチプレクサ１２７−１３０、及びマルチプレクサ１２７−１３０の共通出力端ＭＣに連結されるインバータ１３１を含んで構成される。マルチプレクサ１２７−１３０は、図４に示した本発明によるマルチプレクサの機能、すなわち、内部の二つの伝送ゲートＴＭ１，ＴＭ２が何れもターンオンされるとき、位相ブレンディング動作を行う機能を利用して位相混合器ユニット１２１−１２６と同じ機能を有するように構成される。
【００４３】
例えば、マルチプレクサ１２７で、共通出力端ＮＣに位相混合器ユニット１２３の出力信号φＡ１００と同じ位相を有する信号を出力するためには、伝送ゲートＴＭ１をターンオンさせ、伝送ゲートＴＭ２をターンオフさせる。そして、共通出力端ＮＣに位相混合器ユニット１２３の出力信号φＡ１００の位相と位相混合器ユニット１２３の他の出力信号φＡ７５の位相との中間位相を有する信号を出力するためには、二つの伝送ゲートＴＭ１，ＴＭ２を何れもターンオンさせる。このような機能は、二つの伝送ゲートＴＭ１，ＴＭ２の制御信号を適切に調節して具現されうる。
【００４４】
したがって、図１２の本発明による回路は、図１０の従来の回路に比べてハードウェアが簡単であり、また出力信号ＯＵＴで所望しない位相ジャンプなしに柔らかくスイッチングできる。
【００４５】
本発明は、図面に示された実施形態を参考として説明されたが、これは、例示的なものに過ぎず、当業者ならば、これから多様な変形及び均等な他の実施形態が可能であるということが分かる。したがって、本発明の真の技術的保護範囲は、特許請求の範囲の技術的思想によって決定されねばならない。
【００４６】
本発明は、信号処理関連の技術分野に適用可能である。
【図面の簡単な説明】
【００４７】
【図１】位相混合器に使われる従来のマルチプレクサの回路図である。
【図２】図１の従来のマルチプレクサに使われる制御信号のタイミング図である。
【図３】図１の従来のマルチプレクサで入力信号と制御信号とが同時に変わる場合を示す図面である。
【図４】本発明の一実施形態によるマルチプレクサの回路図である。
【図５】図４の本発明によるマルチプレクサに使われる制御信号のタイミング図である。
【図６】図４の本発明によるマルチプレクサで入力信号と制御信号とが同時に変わる場合を示す図面である。
【図７】図１に示された従来のマルチプレクサに対する模擬実験結果である。
【図８】図４に示された本発明によるマルチプレクサに対する模擬実験結果である。
【図９Ａ】図１に示された従来のマルチプレクサ及び図４に示された本発明によるマルチプレクサで、入力信号の変化が制御信号の変化と重畳されていないとき、出力信号での最小ジッタを示す図面である。
【図９Ｂ】図１に示された従来のマルチプレクサで、入力信号の変化が制御信号の変化と重畳されるとき、出力信号での最小ジッタを示す図面である。
【図９Ｃ】図４に示された本発明によるマルチプレクサで入力信号の変化が制御信号の変化と重畳されるとき、出力信号での最小ジッタを示す図面である。
【図１０】位相混合器を利用して同じ位相差を有し、異なる位相を有する１６個の信号を発生させる従来の回路を示すブロック図である。
【図１１】図１０及び図１２に示された位相混合器ユニットを示す回路図である。
【図１２】位相混合器と図４の本発明によるマルチプレクサとを利用して、同じ位相差を有し、かつ異なる位相を有する１６個の信号を発生させる本発明による回路を示すブロック図である。
【符号の説明】
【００４８】
４１    第１インバータ
４２    第２インバータ
４３    第３インバータ
４４    第４インバータ
４５    第５インバータ
４６    第１伝送ゲート
４７    第２伝送ゲート
ＣＯＮ＿Ａ，ＣＯＮ＿Ｂ    第１及び第２制御信号
ＮＣ    共通出力端
ＯＵＴ    出力信号
φＡ，φＢ    第１及び第２入力信号
【図１】
2006211673.tif 000003
【図２】
2006211673.tif 000004
【図３】
2006211673.tif 000005
【図４】
2006211673.tif 000006
【図５】
2006211673.tif 000007
【図６】
2006211673.tif 000008
【図９Ａ】
2006211673.tif 000009
【図９Ｂ】
2006211673.tif 000010
【図９Ｃ】
2006211673.tif 000011
【図１０】
2006211673.tif 000012
【図１１】
2006211673.tif 000013
【図１２】
2006211673.tif 000014
【図７】
2006211673.tif 000015
【図８】
2006211673.tif 000016